(57)【要約】【課題】  効率的にクロックおよびデータ再生を行うことができるバースト光信号受信装置を提供する。【解決手段】  本発明のバースト光信号受信装置は、バースト光信号を受信すると、ダミー光信号のクロックパルスに対して所定の位相差となるようにバースト光信号のデータパルスを遅延調整する遅延時間調整手段と、遅延調整されたバースト光信号とダミー光信号とを切り替えて出力する光信号切替手段であって、ダミー光信号をバースト光信号の間欠部で出力する光信号切替手段とを備える。これにより、バースト光信号受信装置の等化増幅回路に含まれるＡＣ結合のキャパシタンスがバースト光信号の間欠部においても常にチャージされた状態となり、安定した等化増幅信号を得ることができ、また、ダミー光信号と遅延調整されたバースト光信号の位相差が所定値以下に調整されるため、クロック・データ再生回路における位相引き込みに要する時間が短縮される。【選択図】  図１
2006304070.tif 000002
【特許請求の範囲】
【請求項１】
バースト光信号を受信するためのバースト光信号受信装置において、
光パルス列からなるダミー光信号のクロックパルスに対して、所定の位相差となるようにバースト光信号のデータパルスを遅延調整するための遅延時間調整手段と、
前記遅延調整されたバースト光信号と前記ダミー光信号とを切り替えて出力する光信号切替手段であって、前記ダミー光信号を前記バースト光信号の間欠部で出力する光信号切替手段と
を備えたことを特徴とするバースト光信号受信装置。
【請求項２】
請求項１に記載のバースト光信号受信装置において、
前記ダミー光信号は、前記バースト光信号のデータパルスに対応して再生されるクロックパルスから生成されることを特徴とするバースト光信号受信装置。
【請求項３】
請求項１に記載のバースト光信号受信装置において、
前記ダミー光信号は、外部から供給されることを特徴とするバースト光信号受信装置。
【請求項４】
請求項１ないし３のいずれかに記載のバースト光信号受信装置において、
前記バースト光信号と前記ダミー光信号の波長が異なることを特徴とするバースト光信号受信装置。
【請求項５】
請求項１ないし４のいずれかに記載のバースト光信号受信装置において、
前記遅延調整手段は、ダミー光信号のクロックパルスの周期に対して、１／Ｎ（Ｎは２以上の整数）周期以下の位相差となるようにバースト光信号のデータパルスを遅延調整することを特徴とするバースト光信号受信装置。
【請求項６】
請求項１ないし５のいずれかに記載のバースト光信号受信装置において、
前記遅延調整手段は、前記バースト光信号を１／Ｎ周期単位で０から（Ｎ−１）／Ｎ周期まで遅延したＮ個のバースト光信号の中から前記ダミー光信号のクロックパルスの位相に最も近いバースト光信号を遅延調整されたバースト光信号として選択することを特徴するバースト光信号受信装置。
【請求項７】
請求項１ないし６のいずれかに記載のバースト光信号受信装置において、
前記光信号切替手段は、前記バースト光信号の先頭パルスの立ち上がりを検出する先頭パルス立ち上がり検出手段を備え、前記先頭パルスの立ち上がりが検出されると前記遅延調整されたバースト光信号に切り替えて所定の期間だけ出力した後、前記ダミー光信号に切り替えて出力することを特徴とするバースト光信号受信装置。
【請求項８】
請求項７に記載のバースト光信号受信装置において、
前記先頭パルス立ち上がり検出手段は、前記バースト光信号の先頭パルスの先頭部分のみを通過させ、それ以降のパルスを反射する非線形ループミラーであることを特徴とすることを特徴とするバースト光信号受信装置。
【発明の詳細な説明】
【技術分野】
【０００１】
本発明は、バースト光信号を受信する受信装置に関する。
【背景技術】
【０００２】
パケット伝送などの間欠的なバースト光信号を取り扱う光ネットワークでは、バーストデータ毎に光信号の受信強度が異なる場合があり、そのために等化増幅機能および識別再生機能を有する光受信回路が必要になる。このような光受信回路は、一般に、光信号を受光し、電気信号に変換して等化増幅する等化増幅回路と、この等化増幅信号からクロックおよびデータを再生するクロック・データ再生回路とから構成される。
【０００３】
図７に、このような等化増幅回路の構成例を示す。等化増幅回路２０は、光信号を電気信号に変換して増幅するフォトダイオード（ＰＤ）−前置増幅器２１０と、電気信号の振幅を増幅して一定値に制限する振幅制限増幅器２３０とから構成される。ＰＤ−前置増幅器２１０と、振幅制限増幅器２３０とは、キャパシタンス２２０を介して容量結合されており、これによって電気信号に含まれるＤＣオフセットをキャンセルしている。光受信装置において、このような容量結合を使用した例は、例えば特許文献１に記載されている。
【０００４】
しかしながら、上記のような容量結合を用いる場合、電気信号の中心電位が基準電位に達するまで、ある程度の時間を必要とする。そのため、瞬時応答を必要とするバースト光信号では、電気信号に変換したバースト信号の先頭部分が不安定になり、適切な等化増幅信号を得ることができない。
【０００５】
この問題を解決する手段として、バースト光信号の間欠部にダミー信号を挿入する方法が特許文献２に開示されている。この文献では、バースト光信号を受信していない間欠部において、ダミー光信号を等化増幅回路に入力し、等化増幅回路の容量結合のためのキャパシタンスを常にチャージされた状態にすることが開示されている。これによって、バースト光信号を受信する時には、上記の不安定性の問題なく、安定した等化増幅信号を得ることができる。
【０００６】
【特許文献１】特開２００１−３６４７０号公報
【特許文献２】特開２００４−２２２１１６号公報
【発明の開示】
【発明が解決しようとする課題】
【０００７】
特許文献２に開示された方法は、ダミー光信号を入力することで容量結合のためのキャパシタンスを常にチャージされた状態にすることを対象としている。このダミー光信号には、後段のデータ・クロック再生回路のためのクロック信号が含まれているが、このクロック信号とバースト光信号に含まれるデータ信号は非同期であるため、ダミー光信号からバースト光信号に切り換わったときにデータ・クロック再生回路において同期を得るために位相引き込みに係る時間が必要となる。すなわち、図８（ａ）に示すようにバースト光信号とダミー光信号の位相が異なっている場合は、図８（ｂ）に示すようにバースト光信号とダミー光信号の位相が合っている場合に比べ、位相引き込みに要する時間が長くなり、この時間の間は、バースト光信号のデータ再生を行うことができず、効率が悪いという問題があった。
【０００８】
本発明は、このような問題に鑑みてなされたもので、その目的とするところは、バースト光信号を受信する受信装置において、効率的にクロックおよびデータ再生を行うことのできる受信技術を提供することにある。
【課題を解決するための手段】
【０００９】
本発明は、このような目的を達成するために、請求項１に記載の発明は、バースト光信号を受信するためのバースト光信号受信装置において、光パルス列からなるダミー光信号のクロックパルスに対して、所定の位相差となるようにバースト光信号のデータパルスを遅延調整するための遅延時間調整手段と、前記遅延調整されたバースト光信号と前記ダミー光信号とを切り替えて出力する光信号切替手段であって、前記ダミー光信号を前記バースト光信号の間欠部で出力する光信号切替手段とを備えたことを特徴とする。
【００１０】
また、請求項２に記載の発明は、請求項１に記載のバースト光信号受信装置において、前記ダミー光信号は、前記バースト光信号のデータパルスに対応して再生されるクロックパルスから生成されることを特徴とする。
【００１１】
また、請求項３に記載の発明は、請求項１に記載のバースト光信号受信装置において、前記ダミー光信号は、外部から供給されることを特徴とする。
【００１２】
また、請求項４に記載の発明は、請求項１ないし３のいずれかに記載のバースト光信号受信装置において、前記バースト光信号と前記ダミー光信号の波長が異なることを特徴とする。
【００１３】
また、請求項５に記載の発明は、請求項１ないし４のいずれかに記載のバースト光信号受信装置において、前記遅延調整手段は、ダミー光信号のクロックパルスの周期に対して、１／Ｎ（Ｎは２以上の整数）周期以下の位相差となるようにバースト光信号のデータパルスを遅延調整することを特徴とする。
【００１４】
また、請求項６に記載の発明は、請求項１ないし５のいずれかに記載のバースト光信号受信装置において、前記遅延調整手段は、前記バースト光信号を１／Ｎ周期単位で０から（Ｎ−１）／Ｎ周期まで遅延したＮ個のバースト光信号の中から前記ダミー光信号のクロックパルスの位相に最も近いバースト光信号を遅延調整されたバースト光信号として選択することを特徴する。
【００１５】
また、請求項７に記載の発明は、請求項１ないし６のいずれかに記載のバースト光信号受信装置において、前記光信号切替手段は、前記バースト光信号の先頭パルスの立ち上がりを検出する先頭パルス立ち上がり検出手段を備え、前記先頭パルスの立ち上がりが検出されると前記遅延調整されたバースト光信号に切り替えて所定の期間だけ出力した後、前記ダミー光信号に切り替えて出力することを特徴とする。
【００１６】
また、請求項８に記載の発明は、請求項７に記載のバースト光信号受信装置において、前記先頭パルス立ち上がり検出手段は、前記バースト光信号の先頭パルスの先頭部分のみを通過させ、それ以降のパルスを反射する非線形ループミラーであることを特徴とすることを特徴とする。
【発明の効果】
【００１７】
本発明によれば、バースト光信号受信装置において、バースト光信号のデータ信号と、バースト光信号の間欠部に挿入されるクロック信号の位相差を、所定の範囲内に設定することができる。これにより、等化増幅回路の容量結合のためのキャパシタンスを常にチャージされた状態としつつ、クロック・データ再生回路においてデータ信号とクロック信号の同期のための位相引き込み時間が短縮される。また、データ信号とクロック信号の位相差が常に所定値以下に抑えられるので、連続光信号用の受信装置の構成でバースト光信号の受信が可能となる。
【発明を実施するための最良の形態】
【００１８】
以下、図面を参照して、本発明の具体的な実施の形態について説明する。しかしながら、本発明の原理を適用できる多くの実施可能な形態に鑑みて、ここに記載した実施例は、単に例示に過ぎず、本発明の範囲を限定するものではない。
【実施例１】
【００１９】
図１に、本発明によるバースト光信号受信装置の構成例を示す。図に示すように、バースト光信号受信装置１は、バースト光信号の遅延時間を選択して切り替える遅延時間選択機能付光信号切替器１０と、バースト光信号を電気信号に変換して等化増幅する等化増幅回路２０と、等化増幅された電気信号からクロックおよびデータを再生するクロック・データ再生回路３０と、再生されたクロック信号を光信号に変換する電気光変換器４０とを備えている。ここで、図１では、光信号の経路を実線で表し、電気信号の経路を点線で表している。
【００２０】
バースト光信号は、遅延時間選択機能付光信号切替器１０に入力され、電気光変換器４０からのダミー光信号との位相差が小さくなるように遅延時間が調整される。遅延時間選択機能付光信号切替器１０の出力は、バースト光信号が入力されているときは、遅延時間が調整されたバースト光信号が出力され、バースト光信号が入力されていないときは、ダミー光信号が出力される。遅延時間が調整されたバースト光信号またはバースト光信号の間欠部に挿入されたダミー光信号は、等化増幅回路２０で電気信号に変換されて、増幅および振幅制限される。振幅制限されたバースト電気信号は、クロック・データ再生回路３０でデータ信号に再生され、出力される。また、クロック・データ再生回路３０では、振幅制限されたダミー電気信号からクロック信号が再生され、一定のクロック信号が電気光変換器４０に供給される。このクロック信号は、バースト光信号と異なる波長の光信号に変換され、ダミー光信号として遅延時間選択機能付光信号切替器１０に入力される。
【００２１】
図２に、遅延時間選択機能付光信号切替器１０の入出力の概要を示す。本実施例においては、バースト光信号の先頭部分および光パルス列であるダミー光信号は共に、同じビットレートのＮＲＺ０１交番信号としている。図に示すように、バースト光信号のデータ信号は、ダミー光信号のクロック信号とは非同期に遅延時間選択機能付光信号切替器１０に入力される。遅延時間選択機能付光信号切替器１０では、バースト光信号の遅延時間を調整し、ダミー光信号のクロック信号との位相差が所定の値以下になるようにする。例えば、ダミー光信号のクロック信号の周期をＴとすると、位相差がＴ／Ｎ（Ｎは２以上の整数）以下になるようにバースト光信号の遅延時間を調整する。遅延時間選択機能付光信号切替器１０の出力では、遅延時間が調整されたバースト光信号と、ダミー光信号とが交互に出力される。正確には、遅延時間が調整されたバースト光信号の間欠期間にダミー光信号が出力される。
【００２２】
次に、図３を参照して、遅延時間選択機能付光信号切替器１０の構成例について説明する。本実施例では、Ｎ＝３の場合について説明するが、本発明はこれに限定されるものではない。図に示すように、遅延時間選択機能付光信号切替器１０は、バースト光信号が入力される第１の入力ポート１１と、ダミー光信号が入力される第２の入力ポート１２と、遅延時間が調整されたバースト光信号およびダミー光信号が交互に出力される出力ポート１３とを備えている。
【００２３】
第１の入力ポート１１は、第１の１×２光分流器１０１に接続され、一方の出力は先頭パルス立ち上がり抽出器１５０を介して第１の１×３光分流器１０３に接続され、他方の出力は遅延線１７０および１７２を介して第３の１×３光分流器１０５に接続されている。また、第２の入力ポート１２は、第２の１×２光分流器１０２に接続され、一方の出力は５／６周期光遅延線および半導体光増幅器１６２を介して第２の１×３光分流器１０４に接続され、他方の出力は遅延線１８０および１８２を介して４×１光スイッチに接続されている。
【００２４】
第１の１×３光分流器１０３の３つの出力はそれぞれ、第１の光合流器１１２ａと、１／３周期光遅延線１１０ｂを介して第２の光合流器１１２ｂと、２／３周期光遅延線１１０ｃを介して第３の光合流器１１２ｃとに接続されている。また、第２の１×３光分流器１０４の３つの出力はそれぞれ、第１の光合流器１１２ａと、第２の光合流器１１２ｂと、第３の光合流器１１２ｃとに接続されている。第１、第２および第３の光合流器１１２ａ、１１２ｂおよび１１２ｃで合波された光信号はそれぞれ、第１、第２および第３の半導体光増幅器１１４ａ、１１４ｂおよび１１４ｃを介し、さらに第１、第２および第３の波長フィルタ１１６ａ、１１６ｂおよび１１６ｃを通して、第１、第２および第３の光電気変換器１１８ａ、１１８ｂおよび１１８ｃに接続されている。第１、第２および第３の光電気変換器１１８ａ、１１８ｂおよび１１８ｃの出力は、信号強度比較回路１３０で比較され、４×１光スイッチ１４０への制御信号として出力される。また、第３の１×３光分流器１０５の出力の１つは直接、残りの２つはそれぞれ１／３周期光遅延線１２０ｂおよび２／３周期光遅延線１２０ｃを介して、４×１光スイッチ１４０に接続されている。
【００２５】
次に、図４を参照して、遅延時間選択機能付光信号切替器１０の動作について説明する。遅延時間選択機能付光信号切替器１０の第１の入力ポート１１からのバースト光信号（図４（ａ））は、第１の１×２光分流器１０１に入力され、２つの出力に分波される。分波されたバースト光信号の一方は、先頭パルス立ち上がり抽出器１５０に入力され、バースト光信号の先頭パルスのみが１／６周期以下のパルス幅として出力される（図４（ｂ））。そして、この圧縮されたパルスは、第１の１×３光分流器１０３により３つの出力に分波される。一方、遅延時間選択機能付光信号切替器１０の第２の入力ポート１２からのダミー光信号（図４（ｆ））は、第２の１×２光分流器１０２に入力され、２つの出力に分波される。分波されたダミー光信号の一方は、５／６周期光遅延線１６０に入力され、クロック信号の５／６周期だけ時間遅延されたダミー光信号が出力される（図４（ｇ））。そして、この時間遅延されたダミー光信号は、半導体光増幅器１６２で増幅され、第２の１×３光分流器１０４により３つの出力に分波される（図４（ｈ））。ここで、ダミー光信号の光パルスは、図４（ｈ）に示すように、半導体光増幅器１６２のパターン効果によって鋸型に変形増幅される。
【００２６】
第１の光合流器１１２ａは、第１の光分流器１０３の出力（図４（ｃ））と、第２の光分流器１０４の出力（図４（ｈ））を受けて、合波する。第２の光合流器１１２ｂは、第１の光分流器１０３の出力を１／３周期遅延させた光遅延線１１０ｂの出力（図４（ｄ））と、第２の光分流器１０４の出力（図４（ｈ））を受けて、合波する。第３の光合流器１１２ｃは、第１の光分流器１０３の出力を２／３周期遅延させた光遅延線１１０ｃの出力（図４（ｅ））と、第２の光分流器１０４の出力（図４（ｈ））を受けて、合波する。合波された光信号は、半導体光増幅器１１４ａ、１１４ｂおよび１１４ｃでそれぞれ増幅された後、バースト光信号の波長を透過し、ダミー光信号の波長を減衰する波長フィルタ１１６ａ、１１６ｂおよび１１６ｃでそれぞれフィルタされる。ここで、合波された２つの光信号は、半導体光増幅器１１４ａ〜１１４ｃの非線形性により相互利得変調の効果を受ける。すなわち、一方の光信号の信号強度が大きいほど、他方の光信号の増幅利得が抑圧されることになる。したがって、第１の光分流器１０３からの立ち上がりパルス（図４（ｃ）〜（ｅ））はそれぞれ、第２の光分流器１０４からのダミー光信号（図４（ｈ））の信号強度の影響を受け、このダミー光信号の信号強度に応じて、各パルスが異なる利得で増幅されることになる。
【００２７】
図３に示した構成では、ダミー光信号が５／６周期遅延され、パターン効果により鋸型に増幅されているので、半導体光増幅器１１４ａ〜１１４ｃに入力されるダミー光信号の信号強度は、元のダミー光信号の立ち上がりから＋１／６周期の位置にピークを有し、−１／３周期のところまで徐々に低下し、−１／３周期以降はローレベルとなっている。したがって、半導体光増幅器１１４ａ〜１１４ｃにおける利得に関して、元のダミー光信号の立ち上がりから±１／６の範囲に入る立ち上がりパルスが、他のパルスに比して最小となる。図４に示した例では、１／３周期遅延された立ち上がりパルス（図４（ｄ））に関して、半導体光増幅器１１ｂの利得が他のパルス（図４（ｃ）および（ｅ））に比べて最小となっている。したがって、波長フィルタ１１６ａ〜１１６ｃを通して立ち上がりパルスを抽出すると、図４（ｉ）〜（ｋ）に示す信号が得られ、１／３周期遅延された立ち上がりパルス（図４（ｊ））の信号強度が最小となる。これらフィルタされた立ち上がりパルスは、光電気変換器１１８ａ、１１８ｂおよび１１８ｃにそれぞれ入力され、そこで電気信号に変換され、信号強度比較回路１３０に出力される。信号強度比較回路１３０では、光電気変換器１１８ａ〜１１８ｃからの電気信号のうち最も信号強度が小さいパルスを判別し、このパルスに対応する制御信号を４×１光スイッチ１４０に出力する。
【００２８】
次に、第１の１×２光分流器１０１により分波されたバースト光信号のもう一方は、２つの遅延線１７０および１７２を介して第３の１×３光分流器１０５に入力され、３つの出力に分波される。分波されたバースト光信号の１つは、直接４×１光スイッチ１４０に入力され、残りの２つのバースト光信号はそれぞれ、１／３周期光遅延線１２０ｂおよび２／３周期光遅延線１２０ｃを介して４×１光スイッチ１４０に入力される。また、第２の１×２光分流器１０２により分波されたダミー光信号のもう一方は、２つの遅延線１８０および１８２を介して４×１光スイッチ１４０に入力される。ここで、遅延線１７０の遅延量は、光信号が第１の１×２光分流器１０１の出力から第１の１×３光分流器１０３に到達するまでの時間と、光信号が第１の１×２光分流器１０１の出力から第３の１×３光分流器１０５に到達するまでの時間とが、遅延線１７２を通過する時間を除けば等しくなるように設定される。また、遅延線１８０の遅延量は、光信号が第２の１×２光分流器１０２の出力から光合流器１１２ａ〜１１２ｃのそれぞれに到達するまでの時間と、光信号が第２の１×２光分流器１０２の出力から４×１光スイッチの入力ポートに到達するまでの時間とが、遅延線１８２を通過する時間を除けば等しくなるように設定される。さらに、遅延線１７２の遅延量は、光信号が第１の１×２光分流器１０１より出力されてから４×１光スイッチ１４０が信号強度比較回路８００からの制御信号を受けて、ポートを切り替えるまでの時間よりも、光信号が第１の１×２光分流器１０１より出力されてから４×１光スイッチ１４０のいずれかのポートに到達するまでの時間が長くなるように設定される。また、遅延線１８２の遅延量は、遅延線１７２の遅延量と等しくなるように設定される。このように遅延量を設定することで、信号強度比較回路１３０の制御信号により４×１光スイッチのポート切り替えが適切なタイミングで行われる。また、遅延線１７０および１７２、１８０および１８２の遅延量を上記のように設定することで、光合流器１１２ａ〜１１２ｃの入力における各立ち上がりパルスとダミー光信号の位相差は、４×１光スイッチにおける各バースト光信号とダミー光信号の位相差と等しくなる。
【００２９】
４×１光スイッチでは、信号強度比較回路１３０の制御信号により、第３の１×３光分流器１０５から直接出力されるバースト光信号（図４（ｌ））と、光遅延線１２０ｂを介して１／３周期遅延されたバースト光信号（図４（ｍ））と、光遅延線１２０ｃを介して２／３周期遅延されたバースト光信号（図４（ｎ））と、第２の１×２光分流器１０２から遅延線１８０および１８２を介して遅延されたダミー光信号のいずれかのポートを選択して出力する。具体的には、信号強度比較回路１３０において、光電気変換器１１８ａの出力パルスが最小の場合には、第３の１×３光分流器１０５から直接出力されるバースト光信号（図４（ｌ））のポートが選択され、出力ポート１３に出力される。光電気変換器１１８ｂの出力パルスが最小の場合には、１／３周期光遅延線１２０ｂを介して出力されるバースト光信号（図４（ｍ））のポートが選択され、出力ポート１３に出力される。光電気変換器１１８ｃの出力パルスが最小の場合には、２／３周期光遅延線１２０ｃを介して出力されるバースト光信号（図４（ｎ））のポートが選択され、出力ポート１３に出力される。これらの出力は、バースト光信号の最大フレーム長の期間にわたって持続し、その後ダミー光信号のポートにリセットされ、次に新たな立ち上がりパルスが信号強度比較回路１３０で検出されるまで、ダミー光信号が出力ポート１３に出力される。なお、信号強度比較回路１３０からの制御信号は、各バースト光信号およびダミー光信号が４×１光スイッチに到着するタイミングで４×１光スイッチのポートを切り替えるように調整することができる。
【００３０】
以上より、遅延時間選択機能付光信号切替器１０は、図２に示すように、バースト光信号が入力ポート１１に入力されると、入力ポート１２に入力されているダミー光信号のクロック信号の１／３周期の範囲内に遅延調整されたバースト光信号が出力ポート１３から出力され、バースト光信号が入力ポート１１に入力されていないときには、入力ポート１２に入力されているダミー光信号が遅延線１８０および１８２を介して出力ポート１３から出力される。
【００３１】
次に、図５を参照して、本実施例における遅延時間選択機能付光信号切替器１０の先頭パルス立ち上がり抽出器１５０について説明する。図５は、先頭パルス立ち上がり抽出器として用いることができる非線形ループミラーの構成例を示している。図に示すように、非線形ループミラー１５０は、４つの入出力ポートを有する方向性結合器１５３と、ループ内の非対称な位置に配置された半導体光増幅器１５５とを備えている。方向性結合器１５３の入出力ポート１５３−１および１５３−２は、非線形ループミラー１５０の入力ポート１５１および出力ポート１５２にそれぞれ接続されている。また、方向性結合器１５３の入出力ポート１５３−３および１５３−４は、非線形ループミラー１５０のループの両端に接続されている。
【００３２】
入力ポート１５１から入力されるバースト光信号は、入出力ポート１５３−１を介して入出力ポート１５３−３および１５３−４に分岐されて、ループをそれぞれ時計回りおよび反時計回りに周回する。半導体光増幅器１５５は、ループ上の非対称な位置に配置されているので、時計回りおよび反時計回りに周回するバースト光信号の先頭は、相前後して半導体光増幅器１５５に到達し、増幅される。ここで、一方のバースト光信号が他方に対して１／Ｎパルスだけ早く半導体光増幅器１５５を通過するように半導体光増幅器１５５の位置を調整すると、バースト光信号のパルス列の最初の１／Ｎパルスのみが無信号状態の半導体光増幅器１５５を通過し、最初のパルスの後部（Ｎ−１）／Ｎパルスおよびその後のパルス列は、直前のパルスによって飽和されているか、利得回復過程にある半導体光増幅器１５５を通過することになる。これにより、ループを双方向に周回した光パルスが方向性結合器１５３で結合されるときに、最初のパルスの後部（Ｎ−１）／Ｎパルスおよびその後のパルス列については、時計回りと反時計回りで利得と位相変化量が同程度になるようにすることができ、最初のパルスの先頭の１／Ｎパルスについては、時計回りと反時計回りで利得と位相変化量が異なるようにすることができる。この結果、時計回りと反時計回りで利得と位相変化量が異なる最初のパルスの先頭の１／Ｎパルスは、入出力ポート１５３−１とは別の入出力ポート１５３−２から出力され、時計回りと反時計回りで利得と位相変化量が同程度となる最初のパルスの後部の（Ｎ−１）／Ｎパルスおよびその後のパルス列は、入出力ポート１５３−１に反射出力され、これによって、最初のパルスの先頭の１／Ｎパルスのみが分離されて、非線形ループミラー１５０の出力ポート１５２から出力される。
【実施例２】
【００３３】
図６に、本発明によるバースト光信号受信装置の別の構成例を示す。この実施例では、ダミー光信号として、クロック・データ再生回路３０のクロック信号を用いるのではなく、外部のクロック信号を用いている。具体的には、図６に示すように、外部クロック信号を光電気変換器により変換した光信号が、ダミー光信号として遅延時間選択機能付光信号切替器１０に入力されている。このダミー光信号は、遅延時間選択機能付光信号切替器１０を介して等化増幅回路２０で電気信号に変換され、クロック・データ再生回路３０でクロック信号に再生され、出力される。これにより、例えば共通のクロックを複数の光バースト受信装置で共有することができる。
【００３４】
以上、本発明について、具体的に説明してきたが、本発明の原理を適用できる多くの実施可能な形態に鑑みて、ここに記載した実施例は、単に例示に過ぎず、本発明の範囲を限定するものではない。例えば、上記の実施例では、バースト光信号をダミー光信号に対して１／３周期以内に調整したが、一般には１／Ｎ周期（Ｎは２以上の整数）として構成することができる。このように、ここに例示した実施例は、本発明の趣旨から逸脱することなくその構成と詳細を変更することができる。さらに、説明のための構成要素は、本発明の趣旨から逸脱することなく変更、補足、またはその順序を変えてもよい。
【図面の簡単な説明】
【００３５】
【図１】本発明によるバースト光信号受信装置の構成例を示す機能ブロック図である。
【図２】本発明によるバースト光信号受信装置において使用することができる遅延時間選択機能付光信号切替器の入出力の概要を示す模式図である。
【図３】本発明によるバースト光信号受信装置において使用することができる遅延時間選択機能付光信号切替器の構成例を示す機能ブロック図である。
【図４】本発明によるバースト光信号受信装置において使用することができる遅延時間選択機能付光信号切替器の動作を説明するための信号タイミングチャートである。
【図５】本発明によるバースト光信号受信装置において使用することができる先頭パルス立ち上がり抽出器の構成例を示す機能ブロック図である。
【図６】本発明によるバースト光信号受信装置の別の構成例を示す機能ブロック図である。
【図７】本発明によるバースト光信号受信装置において使用することができる等化増幅回路の構成例を示す機能ブロック図である。
【図８】本発明によるバースト光信号受信装置においてバースト光信号とダミー信号の位相関係を示す模式図であり、図８（ａ）は位相が異なっている場合を示し、図８（ｂ）は位相が合っている場合を示している。
【符号の説明】
【００３６】
１  バースト光信号装置
１０  遅延時間選択機能付光信号切替器
１１，１２  入力ポート
１３  出力ポート
２０  等化増幅回路
３０  クロック・データ再生回路
４０  電気光変換器
１０１，１０２  １×２光分流器
１０３，１０４，１０５  １×３光分流器
１１０ｂ，１２０ｂ  １／３周期光遅延線
１１０ｃ，１２０ｃ  ２／３周期光遅延線
１１２ａ，１１２ｂ，１１２ｃ  光合流器
１１４ａ，１１４ｂ，１１４ｃ  半導体光増幅器
１１６ａ，１１６ｂ，１１６ｃ  波長フィルタ
１１８ａ，１１８ｂ，１１８ｃ  光電気変換器
１３０  信号強度比較回路
１４０  ４×１光スイッチ
１５０  先頭パルス立ち上がり抽出器
１５１  入力ポート
１５２  出力ポート
１５３  方向性結合器
１５３−１，１５３−２，１５３−３，１５３−４  入出力ポート
１５５  半導体光増幅器
１６０  ５／６周期光遅延線
１６２  半導体光増幅器
１７０，１７２，１８０，１８２  遅延線
２１０  フォトダイオード−前置増幅器
２２０  キャパシタンス
２３０  振幅制限増幅器
【図１】
2006304070.tif 000003
【図２】
2006304070.tif 000004
【図３】
2006304070.tif 000005
【図４】
2006304070.tif 000006
【図５】
2006304070.tif 000007
【図６】
2006304070.tif 000008
【図７】
2006304070.tif 000009
【図８】
2006304070.tif 000010